(57)【特許請求の範囲】
【請求項１】
階上から階下に配設された縦排水管の途中に設置されるソケット部材であって、上下に縦排水管との接続部を有するソケット本体の内壁面に、上辺が斜め下方に傾斜したガイド片が略鉛直方向に形成されており、該ガイド片をソケット部材の上方から見ると、その上辺のみが視認できることを特徴とするソケット部材。
【請求項２】
上記ガイド片の上辺が、ソケット本体の内壁面から５°〜８０°の角度で斜め下方に傾斜していることを特徴とする請求項１に記載のソケット部材。
【請求項３】
上記ガイド片が、ソケット本体の中心に向って形成されていることを特徴とする請求項１又は請求項２に記載のソケット部材。
【請求項４】
上記ガイド片が、ソケット本体の片側に偏って形成されていることを特徴とする請求項１又は請求項２に記載のソケット部材。
【請求項５】
縦排水管の上下端に接続される継手間の距離のうち、下から１０％の距離を除いた位置に請求項１ないし請求項４のいずれかに記載のソケット部材を設置することを特徴とする配管構造。
【請求項６】
縦排水管の上下端に接続される継手間の距離のうち、上下から１０％の距離を除いた位置に請求項１ないし請求項４のいずれかに記載のソケット部材を設置することを特徴とする配管構造。
【発明の詳細な説明】
【技術分野】
【０００１】
本発明は、主に屋内の階上から階下に配設される縦排水管の途中に設置されて、排水管路の負圧の発生を緩和して各排水設備の排水トラップの封水破壊を防止するソケット部材とそれを用いた配管構造に関するものである。
【背景技術】
【０００２】
階上の排水設備（トイレ等）からの排水が流下する縦排水管の閉塞を防止するため、従来より、種々の技術が提案されており、その１つに、縦排水管の中途部に、縦排水管の径よりも大きい膨大部を形成し、膨大部の下部のテーパー筒部の内面に管軸に対して傾斜した羽根板を周方向に複数枚突設した排水用配管部材がある（特許文献１）。
【０００３】
上記特許文献１の排水用配管部材は、管軸に対して傾斜した羽根板を周方向に複数枚突設することで、排水用配管部材に流入した排水が旋回流となり、排水の流下速度が低減されて、縦排水管内の中心部に空気芯が形成される。これによって、縦排水管内の空気圧力変動が抑えられて、各種排水設備の排水トラップの封水破壊を防止することができる。
【０００４】
上記特許文献１のように、旋回流を発生させることによって排水設備の排水トラップの封水破壊を防止するものとして、上下端に縦排水管接続部をそれぞれ有し実質的に鉛直方向に配置される筒形の本体部の内面に、その筒軸方向へ向って伸延する螺旋状の案内羽根を設け、この案内羽根の上記本体部内面からその筒軸方向への幅は、上部では狭く、下部へ向うにつれて広がっている排水管接続用ソケットなども提案されている（特許文献２）。
【０００５】
上記特許文献２の排水管接続用ソケットは、排水がソケット又は縦排水管を流下する際に、案内羽根が排水を本体部の内周面に沿う一定方向に回転させて、この回転により排水に遠心力が働いて、排水が縦排水管の内周面に沿って回転しながら旋回流となって流下する。排水は遠心力によってソケット又は縦排水管の内周面に沿って流れるので、ソケット又は縦排水管の中心部には空気芯が形成されて、縦排水管の閉塞を防止するようになっている。
【先行技術文献】
【特許文献】
【０００６】
【特許文献１】特開平０４−１０２６３９号公報
【特許文献２】特開２００１−１８２１１６号公報
【発明の概要】
【発明が解決しようとする課題】
【０００７】
上記特許文献１の排水用配管部材や、特許文献２の排水管接続用ソケットを縦排水管の途中に設置することにより、排水設備から排出されるのが水のみである場合は、縦排水管の閉塞を防止することができたが、次のような問題が解決されないままであった。
【０００８】
即ち、トイレから排出されたトイレットペーパーなどの流下物は、旋回流と共に旋回しながら流下せずに、縦排水管の真ん中の空気芯の部分を流下して、その際、トイレットペーパーが落下による空気抵抗でパラシュートのように開いて縦排水管を塞いでしまい、それより上流側で負圧が発生してしまうという問題が残されたままであった。
【０００９】
本発明は上記の問題に鑑みてなされたもので、その解決しようとする課題は、ペーパー類などが排水と共に縦排水管を流下してきても管内の負圧の発生を緩和し、各種排水設備の排水トラップの封水破壊を防止することができるソケット部材とそれを用いた配管構造を提供することにある。
【課題を解決するための手段】
【００１０】
上記目的を達成するため、本発明に係るソケット部材は、階上から階下に配設された縦排水管の途中に設置されるソケット部材であって、上下に縦排水管との接続部を有するソケット本体の内壁面に、上辺が斜め下方に傾斜したガイド片が略鉛直方向に形成されており、該ガイド片をソケット部材の上方から見ると、その上辺のみが視認できることを特徴とするものである。
【００１１】
本発明のソケット部材においては、上記ガイド片の上辺が、ソケット本体の内壁面から５°〜８０°の角度で斜め下方に傾斜していることが好ましい。また、上記ガイド片が、ソケット本体の中心に向って形成されていたり、上記ガイド片が、ソケット本体の片側に偏って形成されていたりすることが好ましい。
【００１２】
次に、本発明の配管構造は、縦排水管の上下端に接続される継手間の距離のうち、下から１０％の距離を除いた位置に、上記いずれかのソケット部材を設置することを特徴とするものである。
【００１３】
本発明の配管構造においては、縦排水管の上下端に接続される継手間の距離のうち、上下から１０％の距離を除いた位置に、上記いずれかのソケット部材を設置することがより好ましい。
【発明の効果】
【００１４】
本発明のソケット部材を縦排水管の途中に設置すると、排水設備（主にトイレ）からの排水にトイレットペーパーなどの固形物が含まれていたとしても、ソケット本体の内壁面に形成されたガイド片によって、落下による空気抵抗でパラシュートのように開きかけていたトイレットペーパーが、ガイド片に衝突することで再び萎んで集束されて縦排水管を流下していく。このように、流下物の流路を規制することで、縦排水管内に通水スペースと通気スペースが確保され、負圧の発生を緩和して各種排水設備の排水トラップの封水破壊を防止することができる。更に、流下物がガイド片に衝突することで、縦排水管内における流下物の流下速度を減速することができるため、負圧の発生をより緩和することができる。また、このソケット部材は、ガイド片が管軸に対して傾斜したものではなく略鉛直方向に形成されているので、流下する排水の流れを阻害したり、排水の流れ方向を規制したりしてしまうことが少なく、ガイド片の上辺を斜め下方に傾斜させることで、流下物が引っ掛かりにくく、詰まってしまう心配も少ない。
【００１５】
上記のような効果を奏するガイド片の傾斜角が５°未満であると、流下物の抵抗となりにくいため、開いたトイレットペーパーが萎みにくく、また、ガイド片としての作用効果を奏するようにするには、ある程度の出っ張りが必要となるためガイド片自体を相当長く形成しなければならない。反対に、８０°よりも大きいと流下物がガイド片に引っ掛かって流下しない恐れが生じる。これらのことを勘案して、上記ガイド片の上辺が、ソケット本体の内壁面から５°〜８０°の角度で斜め下方に傾斜しているソケット部材が好適に用いられる。
【００１６】
更に、上記ガイド片が、ソケット本体の中心に向って形成されているソケット部材は、ガイド片によって集束されたトイレットペーパーなどの流下物は中心部分を流下することになるので、通水スペースと通気スペースを確実に確保することができ、縦排水管内を閉塞してしまう心配がなくなる。
【００１７】
一方、上記ガイド片が、ソケット本体の片側に偏って形成されているソケット部材は、トイレットペーパーなどの流下物がガイド片に衝突すると、ガイド片が形成されていないもう片側のソケット本体内壁面に追いやられて、その内壁面に沿って流下することになるので、トイレットペーパーが再びパラシュートのように開いて、縦排水管内を閉塞してしまう心配がなくなる。
【００１８】
次に、本発明の配管構造は、前述した優れた効果を奏するソケット部材を用いるので、各種排水設備の排水トラップの封水破壊を有効に防止することができる。このとき、ソケット部材を縦排水管のあまり下側に設置しても、トイレットペーパーがソケット部材に到達するまでに、落下による空気抵抗で開いてしまって、それより上流側において既に閉塞していることが多いので好ましくないが、本発明の配管構造は、縦排水管の上下端に接続される継手間の距離のうち、下から１０％の距離を除いた位置に上記ソケット部材を設置したものであるので、トイレットペーパーが開ききる前、又は、開ききった直後にソケット部材に到達してガイド片に衝突することになるので、そのような問題が生じる心配が殆どなくなる。
【００１９】
また、ソケット部材を縦排水管のあまり上側に設置すると、落下による空気抵抗でのトイレットペーパーの開きが殆どないので、ソケット部材を設置しても効果が薄く、仮にトイレットペーパーの流路を規制できたとしても、縦排水管の下端に接続される継手に到達する前に、再び落下による空気抵抗で開いてしまう恐れがあるので好ましくないが、縦排水管の上下端に接続される継手間の距離のうち、上下から１０％の距離を除いた位置に上記ソケット部材を設置した本発明の配管構造においては、トイレットペーパーが開ききる直前、又は、開ききった直後にソケット部材に到達してガイド片に衝突することになるので、そのような問題が生じる心配が殆どなくなる。
【図面の簡単な説明】
【００２０】
【図１】本発明の一実施形態に係るソケット部材を示すものであって、（ａ）は平面図、（ｂ）は（ａ）のＡ−Ａ断面図である。
【図２】同ソケット部材を構成するガイド片を示す部分拡大図である。
【図３】本発明の一実施形態に係る配管構造を示す概略図である。
【図４】同配管構造の説明図である。
【図５】同配管構造に用いる旋回流継手を示すものであって、（ａ）は平面図、（ｂ）は正面図である。
【図６】同ソケット部材にカバー部材を装着した状態を示す平面図である。
【図７】同ソケット部材のガイド片の他の実施形態を示す平面図である。
【図８】同ソケット部材のガイド片の更に他の実施形態を示す一部破断正面図である。
【図９】同ソケット部材のガイド片の更に他の実施形態を示す一部破断正面図である。
【図１０】同ソケット部材のガイド片の更に他の実施形態を示す一部破断正面図である。
【図１１】（ａ）〜（ｄ）は本発明のソケット部材の様々なバリエーションを示す平面図である。
【発明を実施するための最良の形態】
【００２１】
以下、図面を参照して本発明の具体的な実施形態を詳述する。
【００２２】
図１に示す本発明のソケット部材１は、図３に示すように、階上から階下に配設された縦排水管４の経路途中に設置されるもので、図１の（ｂ）に示すように、ソケット本体２の上部に縦排水管４との接続部である上部接続口２ａが設けられていると共に、ソケット本体２の下部にも縦排水管４との接続部である下部接続口２ｂが設けられている。このソケット本体２は、縦排水管４と同径の円筒体で、その内壁面には、ガイド片３が複数（本実施形態では６つ）形成されている。
【００２３】
上記ガイド片３は、図１、図２に示すように、上記ソケット本体２の内壁面からソケット本体２の中心に向って突出するように形成された、縦断面が直角三角形状の突片で、その上辺３ａは、ソケット本体２の内壁面から斜め下方に傾斜している。このようにガイド片３を直角三角形状に形成することで、高強度となり破損する心配がなくなる。また、このガイド片３は、縦排水管４を流下してきた排水の流れを阻害したり、排水の流れ方向を変えてしまったりしないように、鉛直方向に対して傾きを５°未満に抑える必要が有り、本実施形態のように、鉛直方向（鉛直方向に対して傾きが０）に形成することが最も好ましい。
【００２４】
図３に示す階上の排水設備（ここでは主にトイレのことをいう。）５から縦排水管４に流入する排水に固形物（同様にトイレットペーパーのことをいう。）が含まれていると、そのトイレットペーパーが落下による空気抵抗でパラシュートのように開いて縦排水管４を塞いでしまい、それより上流側において負圧が発生して排水設備５の排水トラップ５ａの封水を破壊してしまうが、上記ガイド片３を形成することにより、一旦開きかけたトイレットペーパーがガイド片３に衝突することで減速し、再び萎んで集束されて縦排水管４を流下していくことになるので、閉塞しかけていた縦排水管４内に通水スペースと通気スペースが確保され、負圧の発生を緩和して排水設備５の排水トラップ５ａの封水破壊を防止することができる。
尚、図３では階上の排水設備５を１つだけ図示しているが、例えば、トイレとトイレ手洗いなど２つ以上の排水設備５が同じ排水管路に接続されている場合でも、上記と同様に、それぞれの排水トラップ５ａの封水破壊を防止することができる。
【００２５】
以上のようなガイド片３としての作用効果を奏するには、ガイド片３の傾斜角θが５°未満なら、開いて落下してきたトイレットペーパーがガイド片３に衝突しても萎みにくく、トイレットペーパーを再び萎めるためにはガイド片３自体を相当長く形成する必要が生じる（ある程度の出っ張りが必要なため）ので好ましくない。反対に、傾斜角θが８０°よりも大きいと、トイレットペーパーがガイド片３に引っ掛かってしまい流下しない恐れが生じるので、これらを勘案して、上記ガイド片３の傾斜角θを５°〜８０°とすることが好ましく、より効果を高めるために、傾斜角θを１０°〜６０°とすることが好ましい。また、トイレットペーパーの流下速度を減速させる効果をより高めるためには、傾斜角θを１５°〜８０°とすることが好ましい。
【００２６】
また、前述したように、トイレットペーパーがガイド片３に衝突すると、トイレットペーパーの周辺がガイド片３の上辺３ａに沿いながらソケット本体２の中心に向って萎められて、ソケット本体２の中心部分を流下していく。従って、ガイド片３が１つだけでもある程度の効果は認められるが、ガイド片３を３つ以上形成すると、よりソケット本体２の中心に向ってトイレットペーパーが萎んで集束し易くなるので、本実施形態では前述したように、ガイド片３が６つ形成されている。
【００２７】
一方、排水は、トイレットペーパーがガイド片３に衝突すると、上記のようにソケット本体２の中心部分を流下するので、ソケット本体２の周囲に散らばってソケット本体２の内壁面に沿ってガイド片３とガイド片３の間を流下していくことが多くなる。このとき、ソケット本体２の横断面積に対して、ガイド片３の占める投影面積の割合が大きすぎると、通水スペース（通気スペース）が減少してしまうといった不具合を生じるし、小さすぎるとトイレットペーパーがガイド片３に衝突してもソケット本体２の中心に向ってうまく萎まないといった不具合を生じる。これらを勘案して、ソケット本体２の横断面積に対して、ガイド片３の占める投影面積の割合を２〜６０％とすることが好ましく、５〜３０％とするとより好ましい。
【００２８】
尚、図６に示すように、上記ガイド片３とガイド片３の間を、複数の孔が穿孔された通気と通水を可能とするカバー部材７で覆ってもよい。このカバー部材７は、ガイド片３の上辺の傾斜角θに沿うように形成された下窄まりのテーパー状のドーナツ板で、このようなガイド片３，３間をカバー部材７で覆うと、トイレットペーパーがガイド片３に引っ掛かる心配が皆無に等しくなる。
尚、網体でガイド片３，３間を覆うことでも通気と通水は可能となるが、トイレットペーパーが引っ掛かり易くなるので、本実施形態のように、複数の孔が穿孔されたカバー部材７を用いるのが好ましい。
【００２９】
また、図７に示すように、上辺３ａに丸みを持たせたガイド片３０や、図８に示すように、上辺３ａと下辺３ｂの境目の面取りを行って丸みを持たせたガイド片３１も好適に用いられる。このように、トイレットペーパーが引っ掛かる可能性のある箇所に丸みを持たせることで、ガイド片３０，３１に流下物が引っ掛かって縦排水管４（ソケット部材１）を詰まらせてしまうトラブルを未然に回避することができる。
【００３０】
また、図示はしないが、上記ガイド片３の上辺３ａにトイレットペーパーを破砕する機能を持たせてもよい（例えば刃などをガイド片３の上辺３ａに装着する）。このようにガイド片３の上辺３ａに破砕できる機能を持たせることで、トイレットペーパーがガイド片３に衝突すると、萎みながら破砕されて、より排水管路内の圧力変動を抑えることができる。
【００３１】
本実施形態では、ガイド片３が形成されるソケット本体２の径は縦排水管４の径と同径であるが、ソケット本体２の径を、縦排水管４の径よりも大きくなるように外側へ膨らませて形成してもよい。その場合は、ガイド片３が形成された膨出部を有する上部材と、下窄まりのテーパー部を有する下部材で構成すると成型が容易となる。このようにソケット本体２の径を大きくすると、ガイド片３を形成したことで減少したソケット本体２の有効横断面積を補うことができるため、通水スペースと通気スペースを十分に確保できるようになる。
【００３２】
また、本実施形態のガイド片３の縦断面は直角三角形状であるが、図９に示すガイド片３２のように、その縦断面形状を棒状にしてもよい。このようにすると、ガイド片３２自体の強度は多少低下するが、流下する排水の流れを妨げる心配がなくなる。
【００３３】
更に、図１０に示すように、下辺３ｂをソケット本体２の中心に向って斜め上方へ傾斜させて、ガイド片３３の縦断面形状を台形としてもよいし、上辺３ａと下辺３ｂを長さの等しい辺とした二等辺三角形としてもよい（不図示）。このようにガイド片３３を上下対称の台形状又は二等辺三角形状とすると、ソケット部材１を上下のどちらでも使用できるようになるので、施工性が向上する。
尚、ガイド片３３を上下非対称の台形又は三角形としてもよいことはいうまでもない。
【００３４】
また、図１１の（ａ）に示すように、ガイド片３を８つ形成したソケット部材１０も好ましい。このように、ガイド片３の数を増やすことで、トイレットペーパーはより確実に縦排水管４の中央部分を流下することになり、通水スペースと通気スペースを確実に確保することができる。
【００３５】
一方、図１１の（ｂ）に示すように、ガイド片３が、ソケット本体２の片側に偏って形成されているソケット部材１１もある。このようにガイド片３をソケット本体２の片側に偏って形成したソケット部材１１は、トイレットペーパーがガイド片３に衝突すると、トイレットペーパーはガイド片３が形成されていないもう片側に移動し、その内壁面に沿いながら流下するので、トイレットペーパーが再びパラシュートのように開いて、縦排水管４内を閉塞してしまうことが少なくなる。
【００３６】
更に、図１１の（ｃ）に示すように、ガイド片３がソケット本体２の中心に向って形成されていると共に、ソケット本体２の片側に偏って形成された態様のソケット部材１２もある。このような態様のソケット部材１２は、トイレットペーパーが縦排水管４の中央部分を流下したり、ガイド片３が形成されていないソケット本体２のもう片側に移動したりするが、ガイド片３，３間は確実に通水スペース（通気スペース）として確保することができる。
【００３７】
また、図１１の（ｄ）に示すように、ガイド片３を平面視螺旋状に形成してもよい。後述する本実施形態の配管構造のように、縦排水管４の上端には旋回流を発生させる旋回流継手６ｃが接続されている場合が多いので、このようにガイド片３を平面視螺旋状に形成したソケット部材１３を用いれば、旋回流を破壊せずに維持することが可能となる。
【００３８】
次に、前述したソケット部材１を用いた配管構造を説明する。
尚、ソケット部材１の代わりに、上記のソケット部材１０〜１３を用いてもよいことはいうまでもない。
【００３９】
図３に示すように、本実施形態の配管構造は、家屋の二階に排水設備（トイレ）５を設置した場合を例示したものであって、この排水設備５は、第一エルボ継手６ａを介して横引き管６ｂと接続されており、この横引き管６ｂは、旋回流継手６ｃを介して縦排水管４の上端と接続されている。そして、この縦排水管４の下端は、曲率半径が通常のエルボ継手よりも大きい第二エルボ継手（大曲りエルボ）６ｄを介して布基礎８を貫通する基礎貫通管６ｅと接続されており、基礎貫通管６ｅは、下水管（不図示）に通じる屋外の排水管の途中に設置された排水桝６ｆに接続されている。
【００４０】
上記旋回流継手６ｃは、図５の（ａ），（ｂ）に示すように、旋回流継手６ｃの上部周壁から漸次膨出するように形成された曲率半径が上部周壁よりも大きい湾曲流入路６０ｃと、その湾曲流入路６０ｃの先端に形成された横引き管６ｂ接続用の上流側接続口６１ｃと、旋回流継手６ｃの下部に形成された縦排水管４接続用の下流側接続口６２ｃとからなるもので、横引き管６ｂからの排水は、湾曲流入路６１ｃに沿って曲りながら流入し、旋回しながら下流側接続口６２ｃに接続された縦排水管４へと流れ落ちる。このように旋回流となって流れ落ちると、縦排水管４の中心に空気芯が形成されるため排水管路内の通気が確保される。
尚、縦排水管４の上端に接続するのは大曲りエルボでもよいが、管路内の負圧の発生を緩和するため、上記のような旋回流を発生させる旋回流継手６ｃが好ましい。
【００４１】
次に、上記旋回流継手６ｃを介して横引き管６ｂと接続される縦排水管４は、家屋の二階から一階に配設されており、家屋の大きさに合わせた３ｍ程度のものが好適に用いられる。そして、この縦排水管４を途中で水平方向に切断し、切断された上側の縦排水管４の下端を前述したソケット部材１の上部接続口２ａに挿入接続すると共に、切断された下側の縦排水管４の上端をソケット部材１の下部接続口２ｂに挿入接続する。このとき、ソケット部材１を、縦排水管４のあまり下側に設置すると、トイレットペーパーがソケット部材１に到達するまでに落下による空気抵抗で開いてしまって、それより上流側において既に閉塞していることが多いので、ソケット部材１を設置する意味が殆どない。反対に、ソケット部材１を、縦排水管４のあまり上側に設置すると、前述したように、旋回流継手６ｃによってせっかく形成された旋回流が破壊される恐れが生じるし、また、落下による空気抵抗でのトイレットペーパーの開きも殆どないので、ソケット部材１を設置しても効果が薄く、仮にトイレットペーパーの流路を規制できたとしても、縦排水管４の下端に接続される第二エルボ継手６ｄに到達する前に、再び落下による空気抵抗で開いてしまう恐れがあるので好ましくない。これらのことを勘案して、本発明のソケット部材１は、図４に示すように、非設置領域Ｄ１，Ｄ２以外の位置に設置する必要がある。この非設置領域Ｄ１，Ｄ２を、縦排水管４の上下端に接続されている旋回流継手６ｃから第二エルボ継手６ｄまでの距離Ｄのうち、上から１０％及び下から１０％に設定すると、旋回流を破壊せずに、且つ、排水管路内が閉塞してしまう前にトイレットペーパーが萎められるので、負圧の発生が緩和され、排水設備５の排水トラップ５ａの封水破壊を防止することができる。より好ましくは、非設置領域Ｄ１，Ｄ２を、縦排水管４の上下端に接続されている旋回流継手６ｃから第二エルボ継手６ｄまでの距離Ｄのうち、上下１０％〜３０％に設定すると、より顕著な効果を奏する。本実施形態では、縦排水管４が３ｍ程度であるので、旋回流継手６ｃから下方へ１ｍの位置にソケット部材１が設置されている。
尚、縦排水管４が３ｍよりも長い場合は、一旦萎んで集束したトイレットペーパーが、再び落下による空気抵抗で開いてしまうことがあるので、そのような場合には、ソケット部材１を縦排水管４の途中２ヶ所（場合によっては２ヶ所以上）に設置することで対応することができる。
【００４２】
以上のような本発明の配管構造は、排水設備５から排出されるトイレットペーパーを含んだ排水は、第一エルボ継手６ａを経由して横引き管６ｂに流入し、旋回流継手６ｃの湾曲流入路６０ｃに沿って曲りながら流入し、旋回流を発生しながら下流側接続口６２ｃに接続された縦排水管４へと流れ落ちる。このように、旋回流継手６ｃによって旋回流を発生させると、縦排水管４を流下する排水は、中心に空気芯を形成しながら流下し、管路内の負圧の発生が抑制される。そして、この旋回流が消滅する寸前の位置に、本発明のソケット部材１を設置してあるので、落下による空気抵抗でパラシュートのように開きかけているトイレットペーパーが、ガイド片３の上辺３ａに衝突して再び萎んで集束した状態で、第二エルボ継手６ｄを経由して基礎貫通管６ｅから家屋の外部へ排出される。従って、屋内の排水管路内の負圧の発生を緩和して、排水設備５の排水トラップ５ａの封水破壊を未然に防止することができる。
【符号の説明】
【００４３】
１，１０，１１，１２，１３  ソケット部材
２    ソケット本体
２ａ  上部接続口
２ｂ  下部接続口
３，３０，３１，３２，３３  ガイド片
３ａ  上辺
３ｂ  下辺
４    縦排水管
５    排水設備（トイレ）
５ａ  排水トラップ
６ａ  第一エルボ継手
６ｂ  横引き管
６ｃ  旋回流継手
６０ｃ  湾曲流入路
６１ｃ  上流側接続口
６２ｃ  下流側接続口
６ｄ  第二エルボ継手（大曲りエルボ）
６ｅ  基礎貫通管
６ｆ  排水桝
７    カバー部材
Ｄ    縦排水管に接続される継手間の距離
Ｄ１  非設置領域
Ｄ２  非設置領域
【図１】
0005503212.tif 000002
【図２】
0005503212.tif 000003
【図３】
0005503212.tif 000004
【図４】
0005503212.tif 000005
【図５】
0005503212.tif 000006
【図６】
0005503212.tif 000007
【図７】
0005503212.tif 000008
【図８】
0005503212.tif 000009
【図９】
0005503212.tif 000010
【図１０】
0005503212.tif 000011
【図１１】
0005503212.tif 000012